(57)【特許請求の範囲】
【請求項１】
カード型記録媒体の挿入用スロットを有して本体装置の開口端を覆う位置に取り付けられた前面板と、この前面板の下縁部に沿って延在する下部開口を出入り口として前記本体装置内を前後進するスライド部材と、このスライド部材に回動可能に連結された可動ノーズとを備え、前記スライド部材の前後進に伴って前記可動ノーズが前記前面板を覆う起立姿勢と該前面板を露出させる横臥姿勢とに選択的に配置可能な車載用機器の前面パネル装置において、
前記前面板に前記スロットの下方位置で左右方向へ延在する突条部を設け、この突条部が横臥姿勢の前記可動ノーズの奥部と近接して対向するように構成すると共に、横臥姿勢にある前記可動ノーズの奥部上端の高さ位置と前記突条部の高さ位置との差が、使用する最小のカード型記録媒体の短辺の長さよりも小なる寸法に設定されていることを特徴とする車載用機器の前面パネル装置。
【請求項２】
請求項１の記載において、前記突条部の高さ位置が、横臥姿勢にある前記可動ノーズの奥部上端と奥部下端の中間付近の高さ位置と略同等であることを特徴とする車載用機器の前面パネル装置。
【請求項３】
請求項１の記載において、前記前面板に前記突条部の上面に沿って平行に延びる溝部が設けられていることを特徴とする車載用機器の前面パネル装置。
【請求項４】
請求項１〜３のいずれか１項の記載において、前記前面板に前記下部開口の上縁部として斜め下方へ突出する庇形状部が設けられており、この庇形状部が前記前面板の左右方向に沿って延在していることを特徴とする車載用機器の前面パネル装置。
【請求項５】
請求項４の記載において、前記前面板の前記下部開口よりも前方に突出する部分に、前方に向かって下り勾配で連続する階段形状部が設けられており、この階段形状部が前記前面板の左右方向に沿って延在していることを特徴とする車載用機器の前面パネル装置。
【請求項６】
請求項５の記載において、前記前面板の前記下部開口よりも奥側に存する部分に、前記スライド部材と干渉しない位置で上方へ突出するストッパ部が設けられており、このストッパ部が前記前面板の左右方向に沿って延在していることを特徴とする車載用機器の前面パネル装置。
【発明の詳細な説明】
【技術分野】
【０００１】
本発明は、カーナビゲーションやカーオーディオ等の車載用機器の本体装置前面に配置される前面パネル装置に係り、特に、本体装置の前面板（エスカッション）にカード型記録媒体を挿入するためのスロットが開設されていると共に、この前面板を覆う起立姿勢の可動ノーズを横臥姿勢に移行させることによって該スロットを露出させることができる前面パネル装置に関するものである。
【背景技術】
【０００２】
起立姿勢と横臥姿勢とが選択可能な可動ノーズを備えた車載用機器の前面パネル装置は、本体装置の開口端を覆う位置に取り付けられた前面板にＣＤやＤＶＤ等の記録媒体を挿入するためのスロットを開設しつつ、可動ノーズに表示画面や各種操作キーを配設することができるため、多機能化や表示画面の大型化に好適で従来より広く採用されている（例えば、特許文献１参照）。この種の前面パネル装置においては、本体装置に前後進可能に組み込まれたスライド部材が可動ノーズに連結されており、可動ノーズが起立姿勢で前面板を覆っているときに、モータを駆動源としてスライド部材が本体装置の奥側から手前側へ移動すると、可動ノーズが徐々に傾倒して横臥姿勢に移行するようになっている。これにより、前面板のスロットに記録媒体を挿入したり、該スロットから記録媒体を排出させることができる。また、可動ノーズが横臥姿勢のときに、スライド部材が本体装置の手前側から奥側へ移動すると、可動ノーズが徐々にせり上がって起立姿勢に戻り、前面板が再び可動ノーズで覆い隠されるようになっている。
【０００３】
ところで近年、ＳＤカード等のカード型記録媒体を使用できる前面パネル装置が実用化されており、今後は、ＳＤカードよりも小さいＳＩＭカード等を使用できるようにした前面パネル装置の実用化も予測されている。図８に示すように、カード型記録媒体を使用可能とした前面パネル装置においては、本体装置２０の前面板２１にカード用スロット２１ａが開設されており、可動ノーズ２２が前面板２１を覆う起立姿勢と前面板２１を露出させる横臥姿勢とに選択的に配置できるようになっている。この可動ノーズ２２の前面部には図示せぬ表示画面や各種操作キーが配設されており、可動ノーズ２２の両側面には下部支点２２ａと上部支点２２ｂが設けられている。本体装置２０内には図示せぬモータを駆動源として前後進可能なスライド部材２３が組み込まれており、このスライド部材２３は可動ノーズ２２の下部支点２２ａと上部支点２２ｂに回動自在に連結されている。また、前面板２１にはその下縁部に沿って延在する横長の下部開口２１ｂが開設されており、この下部開口２１ｂを出入り口としてスライド部材２３が前面板２１の手前へ進出したり、進出後に本体装置２０内へ後退できるようになっている。
【０００４】
このように概略構成された前面パネル装置の動作について説明すると、図８は可動ノーズ２２を横臥させている状態を示しているが、この可動ノーズ２２は起立姿勢（閉状態）のときに前面板２１を覆っている。この閉状態でスライド部材２３をモータの正転駆動力によって前進（手前側へ移動）させると、可動ノーズ２２の下部支点２２ａが上部支点２２ｂに対して手前側へ大きく移動するため、可動ノーズ２２は起立姿勢から徐々に傾倒して図８に示す横臥姿勢（開状態）に移行する。そして、可動ノーズ２２の横臥姿勢で前面板２１が露出するため、カード用スロット２１ａに対してカード型記録媒体の挿入や排出が行えるようになる。また、可動ノーズ２２が横臥姿勢にあるときにモータの逆転駆動力でスライド部材２３を後進（奥側へ移動）させると、可動ノーズ２２は傾倒時と逆の動作を行って横臥姿勢から徐々にせり上がり、起立姿勢に移行して前面板２１を覆い隠すようになっている。
【先行技術文献】
【特許文献】
【０００５】
【特許文献１】特開２０００−７６８３８号公報
【発明の概要】
【発明が解決しようとする課題】
【０００６】
ところで、前述の如く構成された前面パネル装置にＳＩＭカード等の小型化されたカード型記録媒体が使用されるようになると、ユーザがカード型記録媒体を手指でつまんでカード用スロット２１ａへ挿入／排出するとき、カード型記録媒体をつまみ損ねて落としてしまう可能性が高くなる。その場合、カード型記録媒体が前面パネル装置の狭隘なスペースに入り込んで取り出しにくくなったり、本体装置２０の内部へ入り込んで回収できなくなる虞がある。すなわち、図８に示すように横臥姿勢の可動ノーズ２２の奥部と前面板２１との間には、開閉動作中の可動ノーズ２２と前面板２１との干渉を回避するために所要のクリアランスＣを確保しておかねばならないので、小型で薄いカード型記録媒体Ｄをカード用スロット２１ａの近傍で落としてしまうと、このカード型記録媒体ＤがクリアランスＣをすり抜けて前面板２１の下縁部２１ｃ上に乗ってしまう可能性がある。この場所は可動ノーズ２２の奥部に覆われていて目視困難であり、しかもユーザが不自然に手首を曲げないと手指を到達させにくい場所なので、下縁部２１ｃ上のカード型記録媒体Ｄを回収することは容易でない。また、この種の前面パネル装置は搭乗者の目線よりも下方位置のインパネ等に設置されることが多く、一般的には前面板２１が斜め上方を向くように勾配をつけて取り付けられているため、下縁部２１ｃ上のカード型記録媒体Ｄを回収するときに意図せず開口部２１ｂの奥側へ押し込んでしまうと、そのカード型記録媒体Ｄが後傾姿勢に設置された本体装置２０の内部へ入り込んでしまう可能性が高まる。その場合、本体装置２０内へ入り込んだカード型記録媒体Ｄを回収することが極めて困難になるばかりでなく、カード型記録媒体Ｄの表面に露出している端子群が本体装置２０内の導電部と接触して短絡事故を引き起こす危険性も高まる。
【０００７】
なお、ＳＩＭカードの場合、長辺が２５ｍｍ、短辺が１５ｍｍ、厚みが０．８ｍｍなので、ＳＤカード等と比べて手指でつまみにくく、かつクリアランスＣを楽に通過してしまう。また、ＳＩＭカード等の小型のカード型記録媒体に限らず、横臥姿勢の可動ノーズ２２の上方において硬貨等の小さくて薄い金属片を落としてしまった場合にも同様の不具合が懸念される。
【０００８】
本発明は、このような従来技術の実情に鑑みてなされたもので、その目的は、横臥姿勢の可動ノーズ上で小型のカード型記録媒体等を落とした場合に懸念される回収の困難さや本体装置への悪影響を回避しやすい車載用機器の前面パネル装置を提供することにある。
【課題を解決するための手段】
【０００９】
上記の目的を達成するために、本発明は、カード型記録媒体の挿入用スロットを有して本体装置の開口端を覆う位置に取り付けられた前面板と、この前面板の下縁部に沿って延在する下部開口を出入り口として前記本体装置内を前後進するスライド部材と、このスライド部材に回動可能に連結された可動ノーズとを備え、前記スライド部材の前後進に伴って前記可動ノーズが前記前面板を覆う起立姿勢と該前面板を露出させる横臥姿勢とに選択的に配置可能な車載用機器の前面パネル装置において、前記前面板に前記スロットの下方位置で左右方向へ延在する突条部を設け、この突条部が横臥姿勢の前記可動ノーズの奥部と近接して対向するように構成すると共に、横臥姿勢にある前記可動ノーズの奥部上端の高さ位置と前記突条部の高さ位置との差が、使用する最小のカード型記録媒体の短辺の長さよりも小なる寸法に設定されているように構成した。
【００１０】
このような突条部が前面板に形成されている前面パネル装置では、可動ノーズが横臥姿勢（開状態）にあるときに、ユーザがＳＩＭカード等の小型のカード型記録媒体をつまみ損ねて可動ノーズの奥部と前面板との間のクリアランスに落としてしまった場合にも、そのカード型記録媒体は前面板の突条部に当接しやすいため、この突条部でカード型記録媒体を受け止めて落下を防止できる可能性が高まる。また、突条部上に乗って落下を免れたカード型記録媒体は、前面板に沿って起立するか可動ノーズの奥部に寄り掛かった姿勢になっており、かつ容易に目視できるため、該記録媒体を手指等でつまんで回収する作業は容易に行える。なお、カード型記録媒体を落とした場合に限らず、硬貨やメダルのように小さくて薄い金属片等を落としてしまった場合にも突条部は同様の機能を果たす。また、この突条部は単純な形状でよいため前面板の加工コストが増大する虞はなく、かつ、突条部はユーザ側から見えにくい場所に設けられるので意匠性を損なう虞もない。しかも、横臥姿勢にある可動ノーズの奥部上端の高さ位置と突条部の高さ位置との差が、使用する最小のカード型記録媒体の短辺の長さよりも小なる寸法に設定されており、この最小のカード型記録媒体が落下して突条部上で停止している状態で該記録媒体の上端部をつまみやすくなるため、回収時の作業性を向上させることができる。
【００１１】
この場合において、突条部の高さ位置が横臥姿勢の可動ノーズの奥部上端の高さ位置に近付きすぎると、突条部と可動ノーズの奥部との間隔が広くなってカード型記録媒体が突条部の下方へ落下しやすくなるため、例えば、突条部の高さ位置が、横臥姿勢の可動ノーズの奥部上端と奥部下端の中間付近の高さ位置と略同等であることが好ましい。
【００１２】
また、上記の構成において、前面板に突条部の上面に沿って平行に延びる溝部が設けられていると、可動ノーズが横臥姿勢にあるときに、突条部の上面に向かって落ちてくるカード型記録媒体等の落下物が溝部内へ導かれて安定した姿勢で停止する可能性が高まるため、この落下物が回収困難な場所へ入り込む可能性が一層低減し、回収時の作業性も向上する。
【００１３】
また、上記の構成において、前面板に下部開口の上縁部として斜め下方へ突出する庇形状部が設けられており、この庇形状部が前面板の左右方向に沿って延在していると、可動ノーズが横臥姿勢にあるときに、突条部と可動ノーズの奥部との間を通過してしまったカード型記録媒体等の落下物を庇形状部に当接させることで下部開口の手前側へ誘導しやすくなるため、この落下物が下部開口の奥側（本体装置内）へ入り込んでしまう可能性が低くなる。
【００１４】
この場合において、前面板の下部開口よりも前方に突出する部分に、前方に向かって下り勾配で連続する階段形状部が設けられており、この階段形状部が前面板の左右方向に沿って延在していると、可動ノーズが横臥姿勢にあるときに、突条部と可動ノーズの奥部との間を通過してカード型記録媒体等の落下物を階段形状部で受け止めることができる。しかも、階段形状部上で受け止められたカード型記録媒体等の落下物を回収する際に、この落下物を意図せず奥側へ押し込んでしまったとしても、階段形状部によって落下物の奥側への移動を規制することができるため、この落下物が下部開口の奥側（本体装置内）へ入り込んでしまう可能性が低くなる。
【００１５】
また、この場合において、前面板の下部開口よりも奥側に存する部分に、スライド部材と干渉しない位置で上方へ突出するストッパ部が設けられており、このストッパ部が前面板の左右方向に沿って延在していると、階段形状部上で受け止められたカード型記録媒体等の落下物を回収する際に、この落下物を誤って下部開口の奥側（本体装置内）へ押し込んでしまったとしても、この落下物のさらなる奥側への移動をストッパ部で規制することができるため、回収が困難になるほど本体装置内の奥まで落下物が入り込んでしまう可能性が低くなる。
【発明の効果】
【００１６】
本発明における車載用機器の前面パネル装置によれば、可動ノーズが横臥姿勢（開状態）にあるときに、ユーザがＳＩＭカード等の小型のカード型記録媒体をつまみ損ねて可動ノーズの奥部と前面板との間のクリアランスに落としてしまった場合にも、そのカード型記録媒体は前面板の突条部に当接しやすいため、この突条部でカード型記録媒体を受け止めて落下を防止できる可能性が高まる。また、突条部上に乗って落下を免れたカード型記録媒体は、前面板に沿って起立するか可動ノーズの奥部に寄り掛かった姿勢になっており、かつ容易に目視できるため、該記録媒体を手指等でつまんで回収する作業は容易に行える。なお、カード型記録媒体を落とした場合に限らず、硬貨やメダルのように小さくて薄い金属片等を落としてしまった場合にも突条部は同様の機能を果たす。また、この突条部は単純な形状でよいため前面板の加工コストが増大する虞はなく、かつ、突条部はユーザ側から見えにくい場所に設けられるので意匠性を損なう虞もない。しかも、横臥姿勢にある可動ノーズの奥部上端の高さ位置と突条部の高さ位置との差が、使用する最小のカード型記録媒体の短辺の長さよりも小なる寸法に設定されており、この最小のカード型記録媒体が落下して突条部上で停止している状態で該記録媒体の上端部をつまみやすくなるため、回収時の作業性を向上させることができる。したがって、前面パネル装置のコストやデザインに悪影響を及ぼすことなく、ユーザが小型で薄いカード型記録媒体や金属片等を落とした場合に備えた有効な対策を講じることができる。
【図面の簡単な説明】
【００１７】
【図１】本発明の実施形態例に係る車載用機器において前面パネル装置の可動ノーズを起立させた閉状態を示す斜視図である。
【図２】該前面パネル装置の図１に対応する断面図である。
【図３】図１に示す車載用機器において前面パネル装置の可動ノーズを横臥させた開状態を示す斜視図である。
【図４】該前面パネル装置の図３に対応する断面図である。
【図５】図４の要部を模式的に示す説明図である。
【図６】図３から可動ノーズを省略した斜視図である。
【図７】本発明の変形例を示す説明図である。
【図８】従来構造を説明するための断面図である。
【発明を実施するための形態】
【００１８】
以下、本発明の実施形態例を図１〜図６を参照しつつ説明する。これらの図に示す前面パネル装置２は、カーナビゲーションやカーオーディオ等として使用される車載用機器１の本体装置１０の前面に配置されるものであり、車室内のインパネ等に形成された凹所内に後傾姿勢で収納されるようになっている。この前面パネル装置２は、本体装置１０の筐体（シャーシ）１１の開口端を覆う位置に取り付けられた前面板（エスカッション）３と、本体装置１０内で図示せぬモータを駆動源として前後方向へ往復移動されるスライド部材４と、前面板３を覆う起立姿勢と前面板３を露出させる横臥姿勢とに選択的に配置可能な可動ノーズ５とを備えており、可動ノーズ５の左右両側面にはそれぞれ下部支点５ｂと上部支点５ｃが設けられている。なお、図２や図４に示す基板６と基板７は筐体１１の内部に固設されている。
【００１９】
前面板３には外周縁を包囲するように矩形枠状部３０が一体に形成されており、この前面板３にはＣＤやＤＶＤ等のディスク挿入用のスロット３１とＳＤカード挿入用のスロット３２およびＳＩＭカード挿入用のスロット３３とが開設されている。これら各スロット３１，３２，３３のうち、スロット３２，３３は開閉可能な扉部３７によって覆われているが、扉部３７を省略してスロット３２，３３が常時露出するようにしてもよい。さらに、前面板３の最下部には、矩形枠状部３０の下辺部に相当する下縁部３４に沿って延在する下部開口３５が開設されており、この下部開口３５がスライド部材４の出入り口となっている。なお、前面板３に開設されている長孔３６は、可動ノーズ５から導出された図示せぬ接続ケーブルを本体装置１０側へ引き回すためのものである。
【００２０】
前面板３には、スロット３３の高さ位置よりも若干下側で前方へ突出するリブ状の突条部３ａと、下部開口３５の上縁位置で斜め下方へ突出する庇形状部３ｂと、下縁部３４の前端部上面で前方に向かって下り勾配で連続する階段形状部３ｃと、下縁部３４の後端部上面で上方へ突出するストッパ部３ｄとが一体形成されており、これら突条部３ａ、庇形状部３ｂ、階段形状部３ｃおよびストッパ部３ｄはいずれも前面板３の左右方向に沿って延在している。図４に示すように、突条部３ａは横臥姿勢にある可動ノーズ５の奥部５ａと近接して対向する位置に設けられており、奥部５ａの上端と下端の中間付近と略同等の高さ位置に突条部３ａが延在するようにしてある。ただし、可動ノーズ５が図２に示すように起立姿勢にあるとき、この奥部５ａは可動ノーズ５の上端部となる部分である。階段形状部３ｃは下部開口３５から前方へせり出しており、ストッパ部３ｄは下部開口３５よりも若干奥側でスライド部材４と干渉しない位置に形成されている。つまり、これら突条部３ａ、庇形状部３ｂ、階段形状部３ｃおよびストッパ部３ｄは、いずれもユーザ側から見えにくい場所に設けられているため前面パネル装置２の意匠性に悪影響を及ぼす虞はなく、しかも、すべて前面板３の一部であり形状も複雑ではないため前面板３の加工コストに悪影響を及ぼす虞もない。
【００２１】
スライド部材４は、枠状の可動レール４ａと、可動レール４ａの左右両側に固設された一対の駆動レバー４ｂと、各駆動レバー４ｂに回転可能に軸着されたアーム４ｃとを有している（図６参照）。駆動レバー４ｂの前端部は可動ノーズ５の下部支点５ｂと回動自在に連結されており、アーム４ｃの前端部は可動ノーズ５の上部支点５ｃと回動自在に連結されている。このスライド部材４は、筐体１１の内底面に沿って前後進できるように本体装置１０に組み込まれており、図示せぬモータの正転駆動力でスライド部材４を前進させることができ、該モータの逆転駆動力でスライド部材４を後進させることができる。すなわち、スライド部材４は下部開口３５を出入り口として本体装置１０内から前方へ進出させたり、逆に本体装置１０内へ後退させることができ、かかるスライド部材４の前後進に伴って可動ノーズ５の姿勢が変化するようになっている。
【００２２】
可動ノーズ５の前面部には液晶表示装置の表示画面８や操作キー９群が配設されており、この可動ノーズ５は図示せぬ接続ケーブルを介して本体装置１０と電気的に接続されている。図１に示すように、可動ノーズ５は起立姿勢（閉状態）のときには前面板３を覆い隠してるが、この閉状態においてスライド部材４を前記モータの正転駆動力で前進（手前へ移動）させると、可動ノーズ５の下部支点５ｂが上部支点５ｃよりも手前へ大きく移動するため、可動ノーズ５は徐々に傾倒して図３に示すように横臥姿勢（開状態）に移行する。こうして可動ノーズ５を横臥させると前面板３が露出するため、扉部３７を開いてスロット３２，３３を露呈させることにより、これらスロット３２，３３にＳＤカードやＳＩＭカードを挿入／排出することができる。また、可動ノーズ５が横臥姿勢のときに前記モータの逆転駆動力でスライド部材４を後退（奥側へ移動）させると、可動ノーズ５は傾倒時と逆の動作を行って徐々にせり上がり、再び起立姿勢に移行して前面板３を覆い隠すようになっている。
【００２３】
次に、前面板３に設けられている突条部３ａ、庇形状部３ｂ、階段形状部３ｃおよびストッパ部３ｄの機能について説明する。図５に示すように、開閉動作中の可動ノーズ５と前面板３との干渉を回避するために、横臥姿勢の可動ノーズ５の奥部５ａと前面板３との間には所要のクリアランスＣを確保しておかねばならない。そのため、ＳＩＭカードのように小型で薄いカード型記録媒体Ｄ（以下、カードＤと略称する）を誤ってクリアランスＣ内へ落としてしまった場合、何らかの対策が講じられていないと、カードＤの回収が困難になる危険性が高くなる。しかるに本実施形態例に係る前面パネル装置２では、前面板３の所定位置に突条部３ａが設けてあり、この突条部３ａが横臥姿勢の可動ノーズ５の奥部５ａと近接して対向するように設計してあるため、クリアランスＣ内へ落ちたカードＤは突条部３ａに当接しやすくなり、それゆえ突条部３ａでカードＤを受け止めて落下を防止できる可能性が高まっている。しかも、突条部３ａ上に乗って落下を免れたカードＤは、図５の実線で示すように可動ノーズ５の奥部５ａに寄り掛かった姿勢になっているか、あるいは同図の破線で示すように前面板３に沿って起立する姿勢になっており、かつ容易に目視できるため、このカードＤを手指等でつまんで容易に回収することができる。
【００２４】
なお、本実施形態例においては、図５に示すように、横臥姿勢にある可動ノーズ５の奥部５ａの上端の高さ位置と前面板３の突条部３ａの高さ位置との差ｈが、カードＤの短辺の長さ寸法よりも小さくなるように設定されているため、カードＤが落下して突条部３ａ上で停止しているとき、このカードＤの上端部をつまんで回収することが容易になっている。ここで、突条部３ａの高さ位置が横臥姿勢の可動ノーズ５の奥部５ａの上端の高さ位置に近付きすぎると、突条部３ａと可動ノーズ５の奥部５ａとの間隔が広くなってカードＤが突条部３ａの下方へ落下しやすくなる。そのため、本実施形態例のように、突条部３ａの高さ位置が、横臥姿勢の可動ノーズ５の奥部５ａの上端と下端の中間付近の高さ位置と略同等であることが好ましい。
【００２５】
また、前面板３の所定位置に突条部３ａが設けてあっても、この突条部３ａと横臥姿勢の可動ノーズ５の奥部５ａとの間の僅かな隙間をカードＤが通過してしまう可能性もある。そのため本実施形態例では、突条部３ａの下方まで落下したカードＤが下部開口３５の奥側（本体装置１０内）へ入り込まないように種々の対策を講じている。具体的には、まず、突条部３ａの下方に手前側の斜め下方へ突出する庇形状部３ｂを設けておき、突条部３ａで落下を阻止できなかったカードＤを庇形状部３ｂに当接させることによって、このカードＤを下部開口３５の手前側へ誘導するようにしている。すなわち、図５の２点鎖線で示すように、突条部３ａをすり抜けたカードＤは庇形状部３ｂに当接して手前側へ落下するようになるため、このカードＤは下縁部３４の階段形状部３ｃ上に乗って停止する可能性が高まっている。
【００２６】
また、こうして階段形状部３ｃで受け止められたカードＤを回収する際には、カードＤの下部の奥側への移動を階段形状部３ｃで規制することができるため、回収時にカードＤが倒れて意図せず下部開口３５の奥側（本体装置１０内）へ入り込んでしまう可能性は低い。しかも、本実施形態例では、下縁部３４の後端部に上方へ突出するストッパ部３ｄが設けてあるため、回収時などに誤ってカードＤの一部が下部開口３５の奥側へ入り込んでしまったとしても、このカードＤのさらなる奥側への移動をストッパ部３ｄで規制することができる。
【００２７】
このように種々の対策が講じられているため、可動ノーズ５が横臥姿勢のときに小型で薄いカードＤをつまみ損ねて落としてしまったとしても、このカードＤが回収困難になるほど奥まで本体装置１０内へ入り込んでしまう可能性は極めて低い。また、ＳＩＭカード等のカードＤに限らず、硬貨のように小さくて薄い金属片等を落としてしまった場合にも、その落下を突条部３ａで阻止することは容易であり、かつ、落下を阻止できなかった場合にも庇形状部３ｂや階段形状部３ｃやストッパ部３ｄ等が上記と同様の機能を果たすため、この落下物が本体装置１０内へ入り込む可能性は極めて低くなる。
【００２８】
以上説明したように、本実施形態例に係る前面パネル装置２は、可動ノーズ５が横臥姿勢（開状態）にあるときに、ＳＩＭカード等の小型で薄いカードＤを手指でつまみ損ねて可動ノーズ５の奥部５ａと前面板３との間のクリアランスＣに落としてしまった場合にも、このカードＤは前面板３の突条部３ａに当接しやすいため、突条部３ａでカードＤを受け止めて落下を防止できる可能性が高まる。また、突条部３ａ上に乗って落下を免れたカードＤを手指等でつまんで回収する作業も容易に行える。さらに、カードＤを落とした場合に限らず、硬貨やメダルのように小さくて薄い金属片等を落としてしまった場合にも突条部３ａは同様の機能を果たす。また、突条部３ａは単純な形状でよいため前面板３の加工コストが増大する虞はなく、かつ、突条部３ａはユーザ側から見えにくい場所に設けられるので意匠性を損なう虞もない。したがって、前面パネル装置２のコストやデザインに悪影響を及ぼすことなく、ユーザが小型で薄いカードＤや金属片等を落とした場合に備えた有効な対策を講じることができる。
【００２９】
また、本実施形態例に係る前面パネル装置２では、前面板３に下部開口３５の上縁部として斜め下方へ突出する庇形状部３ｂが設けられており、突条部３ａの下方まで落下したカードＤを庇形状部３ｂに当接させることで下部開口３５の手前側へ誘導しやすくなっているため、突条部３ａで落下を阻止できなかったカードＤが下部開口３５の奥側（本体装置１０内）へ向かわないように配慮されている。なお、カードＤを落とした場合に限らず、小さくて薄い金属片等を落としてしまった場合にも、庇形状部３ｂが同様に機能することは言うまでもない。
【００３０】
また、本実施形態例に係る前面パネル装置２では、前面板３の下縁部３４の前端部に前方に向かって下り勾配で連続する階段形状部３ｃが設けられているため、突条部３ａをすり抜けたカードＤを階段形状部３ｃで受け止めて前面板３に寄り掛かった姿勢に保つことができる。しかも、こうして階段形状部３ｃ上で受け止められたカードＤを回収する際に、このカードＤを意図せず奥側へ押し込んでしまったとしても、カードＤの下部の奥側への移動が階段形状部３ｃによって規制されるため、下縁部３４上でカードＤが倒れて下部開口３５の奥側へ入り込んでしまう可能性が低くなっている。
【００３１】
また、本実施形態例に係る前面パネル装置２では、前面板３の下縁部３４の後端部に上方へ突出するストッパ部３ｄが設けられており、階段形状部３ｃ上で受け止められたカードＤの回収時などに、誤ってカードＤの一部が下部開口３５の奥側へ入り込んでしまったとしても、このカードＤのさらなる奥側への移動がストッパ部３ｄによって規制されるため、回収が困難になるほど本体装置１０内の奥までカードＤが入り込んでしまう可能性が低くなっている。なお、カードＤを落とした場合に限らず、小さくて薄い金属片等を落としてしまった場合にも、ストッパ部３ｄが同様に機能することは言うまでもない。
【００３２】
図７は本発明の変形例を示す説明図であり、同図に示すように、前面板３に突条部３ａの上面に沿って延びる断面Ｖ字状の溝部３ｅを形成し、この溝部３ｅの傾斜面と突条部３ａの上面と連続させておけば、突条部３ａの上面に向かって落ちるカードＤ等の落下物が溝部３ｅ内へ導かれて安定した姿勢で停止する可能性が高まるため、カードＤ等の落下物が回収困難な場所へ入り込む可能性が一層低減し、回収時の作業性も向上する。
【００３３】
なお、上記した実施形態例では、突条部３ａが前面板３の左右方向のほぼ全体に亘って延在するようにした場合について説明したが、突条部３ａは少なくともＳＩＭカード用スロット３３の下方位置に延在していればよく、庇形状部３ｂや階段形状部３ｃおよびストッパ部３ｄについても同様である。
【符号の説明】
【００３４】
１  車載用機器
２  前面パネル装置
３  前面板
３ａ  突条部
３ｂ  庇形状部
３ｃ  階段形状部
３ｄ  ストッパ部
３ｅ  溝部
４  スライド部材
５  可動ノーズ
５ａ  奥部
１０  本体装置
３３  スロット
３４  下縁部
３５  下部開口
Ｃ  クリアランス
Ｄ  カード型記録媒体（ＳＩＭカード）
【図１】
0005571444.tif 000002
【図２】
0005571444.tif 000003
【図３】
0005571444.tif 000004
【図４】
0005571444.tif 000005
【図５】
0005571444.tif 000006
【図６】
0005571444.tif 000007
【図７】
0005571444.tif 000008
【図８】
0005571444.tif 000009